(57)【要約】【課題】構成が簡潔でしかも焼き上げ途中のタネの反転動作を面倒な手作業を煩わすことなく、自動的の行うことができるたこ焼き器を提供する。【解決手段】複数の半球状の凹部１を形成した加熱プレート２の下部に加熱手段を設けたたこ焼き器において、加熱プレート２を振動フレーム５に着脱自在に支持させると共に、振動フレー５はコイルバネ１０により振動自在に支持されており、かつ、駆動源であるモータ１７自体の振動が伝達されるようにモータ１７と直結されており、加熱プレート２は半焼き状態のたこ焼きのタネ２２を回転させるように振動フレーム５と一体に振動するように設けたことを特徴とする。【選択図】図２
2005253868.tif 000002
【特許請求の範囲】
【請求項１】
複数の半球状の凹部を形成した加熱プレートの下部に加熱手段を設けたたこ焼き器において、前記加熱プレートを振動支持体に着脱自在に支持させると共に、該振動支持体はバネにより振動自在に支持されており、かつ、駆動源であるモータ自体の振動が伝達されるように該モータと直結することで、半焼き状態のたこ焼きのタネを回転させるように振動支持体を振動自在に設けたことを特徴とするたこ焼き器。
【請求項２】
器体フレーム内の底板に前記振動支持体がバネ支持機構を介して振動自在に支持されていると共に、前記底板に設置した弾性体に支持台を介して前記モータが設置されていて、前記支持台と前記振動支持体とが連結され、モータ自体の振動が、前記振動支持体に伝達され、該振動体と一体の加熱プレートにたこ焼きのタネを回転させるように振動を付与可能に構成したことを特徴とする請求項１記載のたこ焼き器。
【請求項３】
複数の半球状の凹部を形成した加熱プレートの下部に加熱手段を設けたたこ焼き器において、前記加熱プレートを振動支持体に着脱自在に支持すると共に、前記振動支持体はバネにより振動自在に支持されており、前記振動支持体は、モータを駆動源とするカム機構により半焼き状態のたこ焼きのタネを回転させるように振動可能に構成されていることを特徴とするたこ焼き器。
【請求項４】
請求項３記載のたこ焼き器において、器体フレーム内の底板に前記振動支持体がバネ支持機構を介して振動自在に支持されていると共に、該振動支持体の下側に設けたカム受け板のカム孔に、前記モータによって偏心軸を中心に回転するカムが嵌合されていて、該カムの回転により振動支持体と一体に加熱プレートが半焼き状態のたこ焼きのタネを回転させるように振動可能に構成されたことを特徴とするたこ焼き器。
【発明の詳細な説明】
【技術分野】
【０００１】
本発明は、構造が簡潔でコスト的にも廉価であると共に、操作が簡単であり一般家庭においても、簡単かつ確実にたこ焼きを造ることができる家庭用のたこ焼き器に関するものである。
【背景技術】
【０００２】
最も簡易な家庭用たこ焼き器は、多数個の凹部を設けた鋳造製品であるが、これの欠点として、ガスこんろにかけて使用するため焼きあがるまでに時間がかり、ガス火による危険性があり、また使用後の洗浄も確実にできない。このような不便さ、欠点を解決する家庭用たこ焼き器として、従来、特開平７−４７０３４（特許文献１）や特開平２００３−７０４１２（特許文献２）に開示のものが知られている。
【０００３】
特開平７−４７０３４に開示のたこ焼き器は、裏面に電気ヒータを設置した加熱板上に多数の通口を設けてなるたこ焼きセット板を載置し、このセット板の各通口にたこ焼き単子を嵌合して各たこ焼き単子のの底面を前記加熱板に接触するようにし、たこ焼きセット板およびたこ焼き単子を加熱板部と分離して使用するようにした構成である。
【０００４】
特開平２００３−７０４１２に開示のたこ焼き器は、複数の半球状の凹部を成形した加熱プレートの下部に加熱手段を設けたたこ焼き器において、前記加熱プレートに当該加熱プレートの上面より高い膨出部を形成したもので、これにより、加熱プレートのタネが加熱プレートの外部に溢れるのを防止し、家庭において容易にたこ焼きを作ることができるようにしたものである。
【特許文献１】特開平７−４７０３４号公報
【特許文献２】特開平２００３−７０４１２号公報
【発明の開示】
【発明が解決しようとする課題】
【０００５】
従来の家庭用たこ焼き器は、構成が簡潔で比較的簡単にたこ焼きが作れるように工夫されているが、次の点すなわち、加熱プレートの凹部において半焼き程度に焼けたタネをひっくり返す操作がかなり面倒であるに拘わらず、この点に関して従来は改良工夫がなされていない。つまり、加熱プレート凹部の加熱内面と接している球状タネの下半部の表面に焦げ目が付いた半焼き程度まで焼き上がった段階で、内部がまだ流動状態にあるタネに先の尖った串棒を突き刺して反転させているが、その操作が結構面倒で難しく、家庭用のたこ焼き器が１、２度使用されて以後使用されない理由もこの点にあるといわれている。
【０００６】
本発明は、前記の欠点を改良したもので、家庭用の簡易型たこ焼き器において、構成が簡潔でしかも焼き上げ途中のタネの反転動作を面倒な手作業を煩わすことなく、自動的に行うことができるたこ焼き器を提供することを目的とする。
【課題を解決するための手段】
【０００７】
前記の目的を達成するため、本発明は次のように構成する。
【０００８】
第１の発明は、複数の半球状の凹部を形成した加熱プレートの下部に加熱手段を設けたたこ焼き器において、前記加熱プレートを振動支持体に着脱自在に支持させると共に、該振動支持体はバネにより振動自在に支持されており、かつ、駆動源であるモータ自体の振動が伝達されるように該モータと直結することで、半焼き状態のたこ焼きのタネを回転させるように振動支持体を振動自在に設けたことを特徴とする。
【０００９】
第２の発明は、第１の発明において、器体フレーム内の底板に前記振動支持体がバネ支持機構を介して振動自在に支持されていると共に、前記底板に設置した弾性体に支持台を介して前記モータが設置されていて、前記支持台と前記振動支持体とが連結され、モータ自体の振動が、前記振動支持体に伝達され、該振動体と一体の加熱プレートにたこ焼きのタネを回転させるように振動を付与可能に構成したことを特徴とする。
【００１０】
第３の発明は、第２の発明において、複数の半球状の凹部を形成した加熱プレートの下部に加熱手段を設けたたこ焼き器において、前記加熱プレートを振動支持体に着脱自在に支持すると共に、前記振動支持体はバネにより振動自在に支持されており、前記振動支持体は、モータを駆動源とするカム機構により半焼き状態のたこ焼きのタネを回転させるように振動可能に構成されていることを特徴とする。
【００１１】
第４の発明は、第３の発明において、器体フレーム内の底板に前記振動支持体がバネ支持機構を介して振動自在に支持されていると共に、該振動支持体の下側に設けたカム受け板のカム孔に、前記モータによって偏心軸を中心に回転するカムが嵌合されていて、該カムの回転により振動支持体と一体に加熱プレートが半焼き状態のたこ焼きのタネを回転させるように振動可能に構成されたことを特徴とする。
【発明の効果】
【００１２】
本発明のたこ焼き器を用いてたこ焼きを作るときは、加熱プレート凹部の加熱内面と接している球状タネの下半部の表面に焦げ目が付いた半焼き程度まで焼き上がった段階で、モータのスイッチを入れることで振動支持体と一体に加熱プレートが上下左右に振動する。これにより加熱プレート凹部の内部の粉がまだ流動状態にある半焼き状態のタネは、加熱プレートを介して上下前後左右の方向に振動が加えられ、加熱プレート凹部で半球状のタネが回転し、自動的に反転させることができるので、従来のように内部がまだ流動状態にある半焼き状態のタネに串棒を突き刺して反転させるという面倒で手間のかかる操作が不要である。この実用性に加えて加熱プレート振動に伴う半球状のタネが自動回転する面白さという玩具的要素も兼ね備えており、楽しくたこ焼きができる効果がある。
【発明を実施するための最良の形態】
【００１３】
以下、本発明の実施形態を図を参照して説明する。
【００１４】
図１、図２は、第１実施形態を示し、図１は、たこ焼き器の加熱プレート２を取り外した断面図、図２は、図１のＡ−Ａの矢視図である。
【００１５】
図において多数の凹部１を有する加熱プレート２が器体フレーム３の開口部４において、振動フレーム５に着脱自在に配置されている。振動フレーム５は、器体フレーム３の底板８に下端を取り付けたコイルバネ１０で支持されている。振動フレーム５の下側には２本の棒状の電気ヒータ６が配設されていて、電気ヒータ６には、器体フレーム３の外に設けた電源入切と温度調節を兼ねたダイヤルスイッチ７の操作で給電される（電気ヒータ６の形状は任意でよく、また配置の位置も任意である）。
【００１６】
さらに説明すると、振動フレーム５は、その周縁部の４角部を前記コイルバネ１０の上端で支持してあり、振動フレーム５は上下、前後、左右の方向に振動自在に支持される。器体フレーム３の内部には小型のモータ１７が支持台２５を介して横置き配置され、底板８に配置したゴムなどの弾性体２６で振動可能に支持されている。モータ１７の軸１９には回転板２７が固着されていて、回転板２７の偏心部位に起振用重り２８が取り付けられている。
【００１７】
支持台２５には連結アーム２９が設けられ、この連結アーム２９は、器体フレーム３の開口部２４を可動的に挿通してその内側から垂直に立ち上がり、連結アーム上部と振動フレーム２３は接合ボルト３０で着脱可能自在に結合されている。したがって、モータ１７を起動し、回転板２７の偏心部位に設けた起振用重り２８が回転することで、弾性体２６で支持されたモータ１７が支持台２５と一体に振動し、支持台２５の振動は連結アーム２９を介して振動フレーム５に伝達される。
【００１８】
振動フレーム５の上面に加熱プレート２を一体振動するように、かつ着脱可能に支持させる手段として逆Ｌ字状に鋼板を折り曲げてなる振動フレーム５の上面に複数の永久磁石２１を任意の配置で設け、その磁力を利用して加熱プレート２を振動フレーム５に着脱自在に固着させる。なお、振動フレーム５に加熱プレート２を固着する手段は永久磁石２１に限らず、簡易な掛け金具など公知の着脱金具を使用してもよい。
【００１９】
第１実施形態のたこ焼き器を用いてたこ焼きを作るときは、第１実施形態と同様に、加熱プレート２の凹部１の加熱内面と接している球状タネ２２の下半部の表面に焦げ目が付き、半焼き程度まで焼き上がった段階で、モータ１７のスイッチを入れると、モータ自体が振動し、この振動がモータ支持台２５、連結アーム２９を介して振動フレーム５を上下、前後、左右の全方向に振動させ、加熱プレート２も振動させる。加熱プレート２の振動により凹部１の半焼き状態のタネ２２が自動的に回転し、適度に反転したところでモータのスイッチを切って、再び加熱プレート２を加熱してたこ焼きを焼き上げる。
【００２０】
なお、たこ焼きが終わって加熱プレート２を洗浄するときは、永久磁石２１の吸着力に抗して振動フレーム５から引き離すように加熱プレート２を引き上げれば、該加熱プレート２を簡単に振動フレーム５および本体から離脱でき、加熱プレート２だけを洗浄できて便利である。
【００２１】
図３〜図１０は、第２実施形態を示し、図３は、加熱プレート２を器体フレームから分離したたこ焼き器の斜視図で、多数の凹部１を有する加熱プレート２が器体フレーム３の開口部４に位置し、振動支持体（振動フレームという）５に着脱自在に配置されている。
【００２２】
図４は、たこ焼き器の加熱プレート２を取り外した断面図、図５は図４と別の位置での断面図、図６はさらに、図４、図５と別の位置での断面図、図７（ａ）、（ｂ）、（ｃ）、（ｄ）は、振動フレー５を振動させるカム機構の説明詳細図、図８は、たこ焼き器の平面図、図９は、図の４Ｂ−Ｂ矢視図、図１０は、振動フレームとコイルばねを取り除いた器体フレーム３の平面図である。
【００２３】
第２実施形態は、加熱プレート２を振動させる機構が第１実施形態と相異し、その他の構成は第１施形態と同じであるので、第１実施形態と同一構成には同一符号を付して説明を省略し、相異点を中心に説明する。
【００２４】
図３以下により、たこ焼き器の内部構成を説明する。振動フレーム５は４角部がコイルバネ１０の上端で支持されており、上下、前後、左右に振動できる。
【００２５】
振動フレーム５の４辺に架け渡した十字状の連結板１１の交差部の下面にはカム受け板１２が固着手段２４によって取り付けてある。このカム受け板１２には円形のカム孔１３が開設され、カム孔１３内には円板状の回転カム１４が回転自在に配設されている。回転カム１４の偏心位置を回転軸１５が貫通しており、回転軸１５は底板８に設けた軸受け板１６で支持されている。
【００２６】
器体フレーム３の内部には小型のモータ１７が横置きで配置され、底板８に配置した支承体１８で支持されている。モータ１７の軸１９とカム回転軸１５はカップリング２０によって着脱自在に連結されている。
【００２７】
前記の振動フレーム５の上面に加熱プレート２を一体振動するように、かつ着脱可能に支持させる手段として振動フレーム５の上面に複数の永久磁石２１を任意の配置で設け、その磁力を利用して加熱プレート２を振動フレーム５に着脱自在に固着させる。振動フレーム５と加熱プレート２を固着する手段は永久磁石２１に限らず任意である。その他の構成は第１実施形態と同じである。
【００２８】
第２実施形態のたこ焼き器を用いてたこ焼きを作るときは、加熱プレート２の凹部１の加熱内面と接している球状タネの下半部の表面に焦げ目が付き、半焼き程度まで焼き上がった段階で、モータ１７のスイッチを入れる。それによりカム回転軸１５に対して偏心した回転カム１４がカム受け板１２のカム孔１３内で高速回転することで、十字状の連結板１１を介して振動フレーム５には上下左右の高速回転運動が与えられ、それが振動として加熱プレート２に伝わり、加熱プレート２の凹部１の内部の粉がまだ流動状態にある半焼き状態のタネ２２が自動的に回転する。タネ２２が適度に反転したところでモータのスイッチを切って、再び加熱プレート２を加熱してたこタネを焼き上げる。
【００２９】
なお、たこ焼きが終わって加熱プレート２を洗浄するときは、加熱プレート２の手掛け部３１を把持して永久磁石２１の吸着力に抗して振動フレーム５から引き離すように引き上げれば、該加熱プレート２を簡単に振動フレーム５および本体から離脱でき、加熱プレート２だけを洗浄できて便利である。
【００３０】
第１、第２の実施形態のたこ焼き器によると、従来のように内部がまだ流動状態にある半焼き状態のタネに串棒を突き刺して反転させるという面倒で手間のかかる操作が不要である。この実用性に加えて加熱プレートの振動に伴い半球状のタネが自動回転する面白さという玩具的要素も兼ね備えており、楽しくたこ焼きができる効果がある。
【図面の簡単な説明】
【００３１】
【図１】第１実施形態を示し、たこ焼き器の加熱プレート２を取り外した断面図である。
【図２】図１のＡ−Ａの矢視図である。
【図３】第２実施形態を示し、加熱プレートを取り外した器体フレームから分離したたこ焼き器の斜視図である。
【図４】たこ焼き器の加熱プレートを取り外した断面図である。
【図５】図４と別の位置での断面図である。
【図６】図４、図５と別の位置での断面図である。
【図７】、（ａ）、（ｂ）、（ｃ）、（ｄ）は、振動フレーを振動させるカム機構の説明詳細図である。
【図８】たこ焼き器の平面図である。
【図９】図４のＢ−Ｂの矢視図である。
【図１０】振動フレームとコイルばねを取り除いた器体フレームの平面図である。
【符号の説明】
【００３２】
１  凹部  
２  加熱プレート
３  器体フレーム
４  開口部
５  振動フレーム
６  電気ヒータ
７  ダイヤルスイッチ
８  底板
１０  コイルバネ  
１１  連結板
１２  カム受け板
１３  円形のカム孔  
１４  回転カム
１５  カム回転軸
１６  軸受け板
１７  モータ
１８  支承板
１９  モータ軸
２０  カップリング
２１  永久磁石
２２  タネ
２４  固着手段
２５  支持台
２６  弾性体
２７  回転板
２８  重り
２９  連結アーム
３０  ボルト
３１  手掛け部
【図１】
2005253868.tif 000003
【図２】
2005253868.tif 000004
【図３】
2005253868.tif 000005
【図４】
2005253868.tif 000006
【図５】
2005253868.tif 000007
【図６】
2005253868.tif 000008
【図７】
2005253868.tif 000009
【図８】
2005253868.tif 000010
【図９】
2005253868.tif 000011
【図１０】
2005253868.tif 000012